(57)【要約】【課題】キャビティフィルタの小型化を図ること。【解決手段】キャビティフィルタは、長方形状で導電性を有する筐体内に、筐体の長手方向中心軸に沿って分断された２つのフィルタ室６４、６６を備え、各フィルタ室内に、中心インダクタＬ２、Ｌ５と可変コンデンサＶＣ１、ＶＣ２との直列回路、及び、各中心インダクタに電磁結合される一対の入・出力インダクタＬ１、Ｌ３、Ｌ４、Ｌ６を収納することにより構成される。そして、これら各部を、各フィルタ室において、筐体の長手方向に沿って互いに逆方向となるよう配置することで、キャビティフィルタの入・出力端子Ｔ１、Ｔ２を、筐体の長手方向両端に配置し、キャビティフィルタを小型化する。【選択図】図３
2014168178.tif 000002
【特許請求の範囲】
【請求項１】
矩形形状で導電性を有する筐体内に、当該筐体の一壁面に平行な分離壁にて複数に分断された複数のフィルタ室を備え、
前記複数のフィルタ室のうち、両側の２つのフィルタ室には、それぞれ、各フィルタ室に形成されるフィルタ回路の中心となる中心インダクタと可変コンデンサとの直列回路が、前記分離壁に平行な軸方向に配置されると共に、前記中心インダクタを挟んで前記直列回路の両側には、前記中心インダクタに電磁結合される一対の入・出力インダクタが収納されており、
前記直列回路の両端及び前記一対の入・出力インダクタの一端は、それぞれ、前記筐体に接地され、
前記一対の入・出力インダクタのうち、一方のインダクタの他端は、隣接するフィルタ室と間の分離壁に設けられた第１貫通コンデンサに接続され、他方のインダクタの他端は、前記直列回路の配置方向一端側の壁面に設けられた第２貫通コンデンサに接続され、
前記第１貫通コンデンサには、前記各フィルタ室内で、それぞれ、一端が前記筐体に接地されたコンデンサが接続され、
しかも、前記各フィルタ室において、前記各部が、前記分離壁に沿って互いに逆方向となるよう配置されることで、前記各フィルタ室の壁面に設けられた第２貫通コンデンサには、それぞれ、前記各フィルタ室の外側で、前記分離壁に平行な軸方向両端に設けられた端子が接続されていることを特徴とするキャビティフィルタ。
【請求項２】
ＣＡＴＶ網の伝送線にて伝送されるテレビ放送信号の中から、特定チャンネル・特定セグメントのワンセグ放送信号を抽出する入力バンドパスフィルタと、
前記入力バンドパスフィルタにて抽出されたワンセグ放送信号を増幅する入力増幅部と、
前記入力増幅部にて増幅されたワンセグ放送信号を、中間周波数帯に周波数変換する第１周波数変換部と、
前記第１周波数変換部にて周波数変換された中間周波信号を増幅する中間増幅部と、
前記中間増幅部にて増幅された中間周波信号の中から、前記特定チャンネル・特定セグメントのワンセグ放送信号に対応しない不要信号成分を除去する中間バンドパスフィルタと、
前記中間バンドパスフィルタにて不要信号成分が除去された中間周波信号を、前記特定放送チャンネル・特定セグメントの放送周波数帯に周波数変換する第２周波数変換部と、
前記第２周波数変換部にて周波数変換されたワンセグ放送信号を増幅する出力増幅部と、
前記出力増幅部にて増幅されたワンセグ放送信号の中から不要信号成分を除去し、送信アンテナに出力する出力バンドパスフィルタと、
を備え、
前記中間バンドパスフィルタは、表面弾性波フィルタにて構成され、
前記出力バンドパスフィルタは、請求項１に記載のキャビティフィルタにて構成されていることを特徴とするワンセグ放送送信装置。
【請求項３】
ワンセグ放送用の放送データを、ＣＡＴＶ網の空きチャンネルの特定セグメントのワンセグ放送信号に変換し、ＣＡＴＶ網の伝送線に送出する放送信号出力装置と、
前記ＣＡＴＶ網の伝送線に接続され、前記伝送線を流れる伝送信号の中から、前記ワンセグ放送信号を抽出し、該抽出したワンセグ放送信号を所定レベルまで増幅して、送信アンテナから送信させるワンセグ放送送信装置と、
を備え、前記ワンセグ放送送信装置として、請求項２記載のワンセグ放送送信装置を備えたことを特徴とするワンセグ放送システム。
【発明の詳細な説明】
【技術分野】
【０００１】
本発明は、狭帯域のバンドパスフィルタを構成するキャビティフィルタ、及び、そのキャビティフィルタを用いて構成されるワンセグ放送送信装置及びワンセグ放送システムに関する。
【背景技術】
【０００２】
従来、特定周波数の高周波信号を選択的に通過させるバンドパスフィルタとして、筐体にて複数のフィルタ室（所謂キャビティ）を形成し、各キャビティ内に共振素子を設けることにより構成されるキャビティフィルタが知られている（例えば、特許文献１、２参照）。
【０００３】
キャビティフィルタは、キャビティ内で、フィルタを構成するインダクタ同士を電磁結合させ、その結合量やインダクタに接続されるコンデンサの容量を調整することにより、通過帯域の下側及び上側の減衰点を設定することで、通過帯域の狭帯域化を図ることができる。
【０００４】
このため、キャビティフィルタは、通信装置やテレビ放送信号の伝送装置等で、多チャンネルの高周波信号の中から特定チャンネルの信号を抽出するのに広く利用されている。
【先行技術文献】
【特許文献】
【０００５】
【特許文献１】特開２００９−２５５３９４４号公報
【特許文献２】特開２００１−１２７５０２号公報
【発明の概要】
【発明が解決しようとする課題】
【０００６】
しかしながら、キャビティフィルタは、筐体にてキャビティを形成する必要があり、しかも、そのキャビティ内に、インダクタとコンデンサとにより構成されるフィルタ回路（共振素子）を組み込む必要がある。
【０００７】
このため、キャビティフィルタは、狭帯域化のためにキャビティの段数を増加すればするほど、体格が大きくなり、装置全体を小型化する際の妨げになるという問題があった。
本発明は、こうした問題に鑑みなされたものであり、キャビティフィルタの小型化を図り、キャビティフィルタを用いて構成される装置を小型化できるようにすること、を目的とする。
【課題を解決するための手段】
【０００８】
かかる目的を達成するためになされた請求項１に記載のキャビティフィルタは、
矩形形状で導電性を有する筐体内に、当該筐体の一壁面に平行な分離壁にて複数に分断された複数のフィルタ室を備え、
前記複数のフィルタ室のうち、両側の２つのフィルタ室には、それぞれ、各フィルタ室に形成されるフィルタ回路の中心となる中心インダクタと可変コンデンサとの直列回路が、前記分離壁に平行な軸方向に配置されると共に、前記中心インダクタを挟んで前記直列回路の両側には、前記中心インダクタに電磁結合される一対の入・出力インダクタが収納されており、
前記直列回路の両端及び前記一対の入・出力インダクタの一端は、それぞれ、前記筐体に接地され、
前記一対の入・出力インダクタのうち、一方のインダクタの他端は、隣接するフィルタ室と間の分離壁に設けられた第１貫通コンデンサに接続され、他方のインダクタの他端は、前記直列回路の配置方向一端側の壁面に設けられた第２貫通コンデンサに接続され、
前記第１貫通コンデンサには、前記各フィルタ室内で、それぞれ、一端が前記筐体に接地されたコンデンサが接続され、
しかも、前記各フィルタ室において、前記各部が、前記分離壁に沿って互いに逆方向となるよう配置されることで、前記各フィルタ室の壁面に設けられた第２貫通コンデンサには、それぞれ、前記各フィルタ室の外側で、前記分離壁に平行な軸方向両端に設けられた端子が接続されていることを特徴とする。
【０００９】
次に、請求項２に記載のワンセグ放送送信装置は、
ＣＡＴＶ網の伝送線にて伝送されるテレビ放送信号の中から、特定チャンネル・特定セグメントのワンセグ放送信号を抽出する入力バンドパスフィルタと、
前記入力バンドパスフィルタにて抽出されたワンセグ放送信号を増幅する入力増幅部と、
前記入力増幅部にて増幅されたワンセグ放送信号を、中間周波数帯に周波数変換する第１周波数変換部と、
前記第１周波数変換部にて周波数変換された中間周波信号を増幅する中間増幅部と、
前記中間増幅部にて増幅された中間周波信号の中から、前記特定チャンネル・特定セグメントのワンセグ放送信号に対応しない不要信号成分を除去する中間バンドパスフィルタと、
前記中間バンドパスフィルタにて不要信号成分が除去された中間周波信号を、前記特定放送チャンネル・特定セグメントの放送周波数帯に周波数変換する第２周波数変換部と、
前記第２周波数変換部にて周波数変換されたワンセグ放送信号を増幅する出力増幅部と、
前記出力増幅部にて増幅されたワンセグ放送信号の中から不要信号成分を除去し、送信アンテナに出力する出力バンドパスフィルタと、
を備え、
前記中間バンドパスフィルタは、表面弾性波フィルタにて構成され、
前記出力バンドパスフィルタは、請求項１に記載のキャビティフィルタにて構成されていることを特徴とする。
【００１０】
また、請求項３に記載のワンセグ放送システムは、
ワンセグ放送用の放送データを、ＣＡＴＶ網の空きチャンネルの特定セグメントのワンセグ放送信号に変換し、ＣＡＴＶ網の伝送線に送出する放送信号出力装置と、
前記ＣＡＴＶ網の伝送線に接続され、前記伝送線を流れる伝送信号の中から、前記ワンセグ放送信号を抽出し、該抽出したワンセグ放送信号を所定レベルまで増幅して、送信アンテナから送信させるワンセグ放送送信装置と、
を備え、前記ワンセグ放送送信装置として、請求項２記載のワンセグ放送送信装置を備えたことを特徴とする。
【発明の効果】
【００１１】
本発明のキャビティフィルタにおいては、矩形形状で導電性を有する筐体内に、当該筐体の一壁面に平行な分離壁にて複数に分断された複数のフィルタ室を備える。
そして、複数のフィルタ室のうち、両側の２つのフィルタ室には、それぞれ、各フィルタ室に形成されるフィルタ回路の中心となる中心インダクタと可変コンデンサとの直列回路が、分離壁に平行な軸方向に配置されると共に、中心インダクタを挟んで直列回路の両側には、中心インダクタに電磁結合される一対の入・出力インダクタが収納されている。
【００１２】
また、直列回路の両端及び一対の入・出力インダクタの一端は、筐体に接地され、一対の入・出力インダクタのうち、一方の入・出力インダクタの他端は、２つのフィルタ室の境界を形成する壁面に設けられた第１貫通コンデンサに接続され、の入・出力インダクタの他端は、各フィルタ室の長手方向一端側壁面に設けられた第２貫通コンデンサに接続され、更に、第１貫通コンデンサには、各フィルタ室内で、それぞれ、一端が筐体に接地されたコンデンサが接続されている。
また、直列回路の両端及び一対の入・出力インダクタの一端は、それぞれ、筐体に接地され、一対の入・出力インダクタのうち、一方のインダクタの他端は、隣接するフィルタ室と間の分離壁に設けられた第１貫通コンデンサに接続され、他方のインダクタの他端は、直列回路の配置方向一端側の壁面に設けられた第２貫通コンデンサに接続され、更に、第１貫通コンデンサには、各フィルタ室内で、それぞれ、一端が前記筐体に接地されたコンデンサが接続されている。
【００１３】
また、各フィルタ室において、上記各部は、分離壁に沿って互いに逆方向となるよう配置されることで、各フィルタ室の壁面に設けられた第２貫通コンデンサには、それぞれ、各フィルタ室の外側で、分離壁に平行な軸方向両端に設けられた端子が接続されている。
【００１４】
つまり、可変コンデンサと中心インダクタとの直列回路と、中心インダクタと電磁結合される一対の入・出力インダクタとをフィルタ室に設けることで、キャビティフィルタを構成する場合、通常は、フィルタ室の接続段数を調整できるように、各フィルタ室において上記各部は同一方向に配置される。
【００１５】
そして、この場合、端子は、フィルタ室の配列方向両側に位置する、筐体の外側壁面に設けられ、筐体全体が、フィルタ室の配列方向に膨らむことになる。
しかし、これでは、キャビティフィルタ全体が大型化してしまう。
【００１６】
そこで、本発明では、複数のフィルタ室の配列方向両側の２つのフィルタ室において、可変コンデンサと中心インダクタとの直列回路と、一対の入・出力インダクタとが、分離壁に沿って互いに逆方向となるよう配置することで、筐体の分離壁両端側に、それぞれ、キャビティフィルタへの信号入出力用の端子を設けるようにしている。
【００１７】
つまり、このように構成することで、キャビティフィルタ全体が、フィルタ室の配列方向に膨らむのを防止し、その体積を減らすことで、キャビティフィルタを小型化しているのである。
【００１８】
よって、本発明のキャビティフィルタによれば、キャビティフィルタの小型化を図り、キャビティフィルタを備えた装置が大型化するのを抑制できる。
次に、請求項２に記載のワンセグ放送送信装置においては、ＣＡＴＶ網の伝送線にて伝送されるテレビ放送信号が入力されると、まず入力バンドパスフィルタにて、特定チャンネル・特定セグメントのワンセグ放送信号が抽出され、その抽出されたワンセグ放送信号が入力増幅部にて増幅される。
【００１９】
そして、その増幅されたワンセグ放送信号は、第１周波数変換部にて、中間周波数帯に周波数変換され、中間増幅部にて増幅された後、中間バンドパスフィルタに入力される。  中間バンドパスフィルタは、中間増幅部にて増幅された中間周波信号の中から、特定チャンネル・特定セグメントのワンセグ放送信号に対応しない不要信号成分を除去するためのものである。
【００２０】
そして、中間バンドパスフィルタは、急峻なカットオフ特性を有する表面弾性波フィルタ（ＳＡＷフィルタ）にて構成されていることから、中間周波信号からワンセグ放送信号成分を抽出し、不要信号成分を除去することができる。
【００２１】
また、ＳＡＷフィルタからなる中間バンドパスフィルタを通過した中間周波信号は、第２周波数変換部にて、特定放送チャンネル・特定セグメントの放送周波数帯に周波数変換されることで、ワンセグ放送信号に戻される。
【００２２】
そして、その周波数変換後のワンセグ放送信号は、出力増幅部にて増幅された後、出力バンドパスフィルタを通って、送信アンテナに出力される。
出力バンドパスフィルタは、送信アンテナから送信するワンセグ放送信号の中から不要信号成分を除去するためのものであり、本発明では、請求項１に記載のキャビティフィルタにて構成される。
【００２３】
請求項１に記載のキャビティフィルタは、インダクタ（換言すればコイル）とコンデンサとにより構成される一般的な集中定数フィルタに比べて、急峻なフィルタ特性が得られ、しかも、使用可能な周波数帯域をワンセグ放送信号と同じ周波数帯域にすることができる。
【００２４】
また、キャビティフィルタは、ＳＡＷフィルタのようにワンセグ放送信号を中間周波数帯に周波数変換することなく、送信アンテナから送信させるワンセグ放送信号から、不要信号成分を除去することができる。
【００２５】
従って、請求項２に記載のワンセグ放送送信装置によれば、ＳＡＷフィルタとキャビティフィルタとにより、送信アンテナから送信させるワンセグ放送信号から、不要信号成分を除去することができるようになり、所望のフィルタ特性が得られるようにＳＡＷフィルタの接続段数を増加させる必要がない。
【００２６】
このため、ＳＡＷフィルタでの通過損失を補うために、中間増幅器の接続段数を増加するとか、中間増幅器自体の利得を高くする、といった対策が不要になり、ワンセグ放送送信装置を省電力化することができる。
【００２７】
すなわち、多チャンネルのテレビ放送信号の中から、特定チャンネルのテレビ放送信号を抽出する際には、急峻なカットオフ特性を有し、所望の周波数帯域の信号成分を抽出可能な表面弾性波フィルタ（surface acoustic wave filter；以下、ＳＡＷフィルタともいう）を用いるのが一般的である。
【００２８】
しかし、本発明のワンセグ放送送信装置のように、多チャンネルのテレビ放送信号の中から、特定チャンネルで特定セグメントのワンセグ放送信号を抽出するには、ＳＡＷフィルタの信号通過帯域幅を更に狭帯域にする必要があり、所望のフィルタ特性を実現するには、ＳＡＷフィルタを何段も従属接続する必要がある。
【００２９】
そして、このようにＳＡＷフィルタを何段も縦続接続すると減衰量が大きくなることから、ＳＡＷフィルタを通過したワンセグ放送信号の信号レベルが著しく低下する。
従って、この場合、レベル低下を補うために、ＳＡＷフィルタに対応して、増幅器を何段も設けるか、或いは、増幅器自体の利得を高くする必要があるが、このような対策では、増幅器による消費電力が増加し、送信装置を省電力化することができない。
【００３０】
また、ワンセグ放送信号のような高周波信号の増幅器は高価であるため、送信装置のコストアップを招くという問題もある。
これに対し、本発明（請求項２）のワンセグ放送送信装置によれば、出力段にキャビティフィルタを設けているので、送信アンテナから送信させるワンセグ放送信号から、直接、不要信号成分を除去することができるようになり、所望のフィルタ特性が得られるようにＳＡＷフィルタの接続段数を増加させる必要がない。
【００３１】
従って、本発明のワンセグ放送送信装置によれば、ＳＡＷフィルタでの通過損失を補うために、中間増幅器の接続段数を増加するとか、中間増幅器自体の利得を高くする、といった対策が不要になり、ワンセグ放送送信装置を省電力化することができる。
【００３２】
また、出力段に設けられるキャビティフィルタは、請求項１に記載のキャビティフィルタを用いて構成されることから、ワンセグ放送送信装置全体を小型化することもできる。
次に、請求項３に記載のワンセグ放送システムは、ワンセグ放送信号をＣＡＴＶ網の伝送線に送出する放送信号出力装置と、その伝送線を流れる伝送信号の中からワンセグ放送信号を抽出し、所定レベルまで増幅して送信アンテナから送信させるワンセグ放送送信装置とにより構成される。
【００３３】
そして、このワンセグ放送送信装置は、上述した本発明（請求項２）のワンセグ放送送信装置にて構成されることから、ワンセグ放送システム全体の省電力化を図ることができる。
【図面の簡単な説明】
【００３４】
【図１】実施形態のワンセグ放送システム全体の構成を表す概略構成図である。
【図２】送信装置の構成を表すブロック図である。
【図３】キャビティフィルタの構成を表す説明図である。
【図４】キャビティフィルタの特性を表す説明図である。
【図５】キャビティフィルタの他の構成例を表す説明図である。
【図６】中心インダクタの構成例を表す説明図である。
【発明を実施するための形態】
【００３５】
以下に、本発明の実施形態を図面と共に説明する。
図１に示すように、本実施形態のワンセグ放送システムは、ＣＡＴＶ網のヘッドエンド２から端末側に至る伝送線（光ケーブル６及び同軸ケーブル７）を利用して、ワンセグ放送信号を伝送し、ＣＡＴＶ網の任意の場所に設置されたワンセグ放送送信装置２０から送信アンテナ１４を介してワンセグ放送信号を送信するものである。
【００３６】
このため、ワンセグ放送システムには、放送信号出力装置として、ワンセグエンコーダ１０と、変調器１２とが備えられている。
ワンセグエンコーダ１０は、ワンセグ放送用の放送データ（映像・音声データ）を、テレビ放送信号を構成する１３セグメントの一つ（一般に周波数配列で中央に位置する０番目のセグメント）を使って伝送するためのワンセグデータに変換するものである。
【００３７】
変調器１２は、ワンセグエンコーダ１０にて生成されたワンセグデータを、ヘッドエンド２から出力される伝送信号（多チャンネルのテレビ放送信号）とは異なる特定チャンネル（換言すれば空きチャンネル）で特定セグメントの放送信号（つまり、ワンセグ放送信号）に変換（ＯＦＤＭ変調）するものである。
【００３８】
そして、変調器１２にて生成されたワンセグ放送信号は、ヘッドエンド２から出力された伝送信号を光信号に変換する電気／光変換器（Ｅ／Ｏ変換器）４に入力され、Ｅ／Ｏ変換器４にて、ヘッドエンド２からの伝送信号と共に光信号に変換されて、光ケーブル６に送出される。
【００３９】
光ケーブル６の末端には、光信号を電気信号に変換する光／電気変換器（Ｏ／Ｅ変換器）８が設けられており、Ｏ／Ｅ変換器８からは、電気信号に変換された伝送信号が複数の同軸ケーブル７に分配して出力される。
【００４０】
そして、この複数の同軸ケーブル７の一つに、ワンセグ放送送信装置（以下、単に送信装置という）２０が接続されている。
図２に示すように、送信装置２０には、同軸ケーブル７に接続される入力端子Ｔｉｎと、送信アンテナ１４に接続される出力端子Ｔｏｕｔとが備えられている。
【００４１】
そして、同軸ケーブル７から入力端子Ｔｉｎに入力された伝送信号は、伝送信号の中から変調器１２で生成された特定チャンネル・特定セグメントのワンセグ放送信号を抽出するバンドパスフィルタ（以下、バンドパスフィルタをＢＰＦとも記載する）２２に入力される。
【００４２】
なお、このＢＰＦ２２は、本発明の入力バンドパスフィルタに相当するものであり、集中定数フィルタにて構成されている。
次に、ＢＰＦ２２を通過したワンセグ放送信号は、入力増幅部としての増幅器２４にて増幅された後、ＡＧＣ回路２６を介して、ミキサ２８に入力される。
【００４３】
ＡＧＣ回路２６は、送信アンテナ１４から送信するワンセグ放送信号の信号レベルが所定レベルとなるよう、当該送信装置２０全体の利得調整を行うためのものであり、可変減衰器にて構成されている。
【００４４】
ミキサ２８は、ＡＧＣ回路２６から入力されるワンセグ放送信号と、ＶＣＯ（電圧制御発振器）５０から増幅器５２及び分配器５４を介して入力される高周波信号とを混合することで、ワンセグ放送信号を中間周波数帯に周波数変換するためのものであり、本発明の第１周波数変換部に相当する。
【００４５】
なお、ＶＣＯ５０の発振周波数は、ＰＬＬ回路５６にて、所定の一定周波数に制御されている。このため、ミキサ２８では、変調器１２で生成されたワンセグ放送信号を、所定の中間周波数帯に正確に周波数変換することができる。
【００４６】
次に、ミキサ２８にて中間周波数帯に周波数変換されたワンセグ放送信号（中間周波信号）は、中間増幅部としての増幅器３０にて増幅された後、ＢＰＦ３２に入力される。
ＢＰＦ３２は、増幅器３０から入力される中間周波信号の中から、不要信号成分を除去し、ワンセグ放送信号成分のみを抽出するためのものであり、ＳＡＷフィルタにて構成されている。
【００４７】
そして、このＢＰＦ３２（ＳＡＷフィルタ）を通過した中間周波信号（ワンセグ放送信号）は、第２周波数変換部としてのミキサ３４に入力され、ミキサ３４にて、分配器５４にて分配されたＶＣＯ５０からの高周波信号と混合されることにより、特定放送チャンネル・特定セグメントの放送周波数帯に周波数変換される。
【００４８】
つまり、ミキサ３４は、中間周波数帯のワンセグ放送信号を、変調器１２にて生成された元の放送周波数帯のワンセグ放送信号に戻す。
次に、ミキサ３４にて周波数変換されたワンセグ放送信号は、ＢＰＦ３６を通って、出力増幅部としての増幅器３８に入力され、この増幅器３８にて所定レベルまで増幅された後、出力バンドパスフィルタとしてのＢＰＦ４２に入力される。
【００４９】
なお、ＢＰＦ３６は、ミキサ３４にて周波数変換された信号の中から不要信号成分を除去し、ワンセグ放送信号成分を抽出するためのものであり、集中定数フィルタにて構成されている。
【００５０】
また、ＢＰＦ４２は、増幅器３８にて増幅されたワンセグ放送信号の中から、不要信号成分を除去し、不要信号成分除去後のワンセグ放送信号を、出力端子Ｔｏｕｔを介して送信アンテナ１４に出力するためのものであり、キャビティフィルタにて構成されている。
【００５１】
そして、増幅器３８とＢＰＦ４２との間には、増幅器３８にて増幅されたワンセグ放送信号の一部を分岐させる分岐器４０が設けられており、分岐器４０にて分岐されたワンセグ放送信号は、検波回路４４にて検波される。
【００５２】
検波回路４４は、ワンセグ放送信号の信号レベルを検出するためのものであり、検波回路４４からの検波電圧は、制御回路４６に入力される。
制御回路４６は、検波電圧が予め設定された目標電圧となるよう、ＡＧＣ回路２６を制御することで、送信アンテナ１４から放射されるワンセグ放送信号の信号レベルを所定の設定レベルに制御する。
【００５３】
このように、本実施形態のワンセグ放送送信装置２０においては、ミキサ２８にて中間周波数帯に周波数変換された信号の中からワンセグ放送信号成分を抽出するのに用いるＢＰＦ３２には、ＳＡＷフィルタが用いられる。
【００５４】
また、ミキサ３４にて元の放送周波数帯に周波数変換された信号の中から不要信号成分を除去するのに用いるフィルタとして、集中定数フィルタからなるＢＰＦ３６と、キャビティフィルタからなるＢＰＦ４２との二つのフィルタが用いられる。
【００５５】
このため、本実施形態のワンセグ放送送信装置２０によれば、これらのフィルタ（ＢＰＦ３２、３６、４２）により、送信アンテナ１４から送信させるワンセグ放送信号から、不要信号成分を除去することができるようになる。
【００５６】
また、ＢＰＦ３２を構成するＳＡＷフィルタにて充分除去することのできない不要信号成分を、キャビティフィルタからなるＢＰＦ４２にて除去することができるようになるので、不要信号成分除去のために、ＳＡＷフィルタの接続段数を増加させる必要がない。
【００５７】
このため、ＳＡＷフィルタでの通過損失を補うために、中間増幅器の接続段数を増加するとか、中間増幅器自体の利得を高くする、といった対策が不要になり、ワンセグ放送送信装置２０の省電力化を図ることができる。
【００５８】
次に、ＢＰＦ４２を構成するキャビティフィルタは、図３に示すように構成されている。
なお、図３において、（ａ）は、キャビティフィルタを構成する筐体６０の蓋を外して内部構造が分かるようにした説明図であり、（ｂ）は、キャビティフィルタの回路構成を表す回路図である。
【００５９】
図３に示すように、本実施形態のＢＰＦ４２を構成するキャビティフィルタは、長方形状で導電性を有する筐体６０内に、導電性の分離壁６２を使って、筐体６０内を長手方向中心軸に沿って２つに分断することにより形成された第１フィルタ室６４、第２フィルタ室６６を備える。
【００６０】
そして、第１フィルタ室６４、第２フィルタ室６６には、それぞれ、可変コンデンサＶＣ１、ＶＣ２と棒状の中心インダクタＬ２、Ｌ５との直列回路、及び、中心インダクタＬ２、Ｌ５と電磁結合される一対の入・出力インダクタＬ１及びＬ３、Ｌ４及びＬ６が収納されている。
【００６１】
また、各フィルタ室６４、６６に設けられる入・出力インダクタＬ１、Ｌ３、Ｌ４、Ｌ６は、棒状に形成された中心インダクタＬ２、Ｌ５と電磁結合し易くするため、中心インダクタＬ２、Ｌ５に対し略平行に配置された直線形状のインダクタにて構成されている。
【００６２】
そして、中心インダクタＬ２、Ｌ５及び入・出力インダクタＬ１、Ｌ３、Ｌ４、Ｌ６は、各フィルタ室６４、６５内に、各フィルタ室６４、６５の長手方向に沿って互いに平行にとなるよう配置され、可変コンデンサＶＣ１、ＶＣ２は、中心インダクタＬ２、Ｌ５の一端側に配置されている。
【００６３】
次に、可変コンデンサＶＣ１、ＶＣ２と中心インダクタＬ２、Ｌ５との直列回路の両端は、筐体６０に接地されており、入・出力インダクタＬ１、Ｌ３、Ｌ４、Ｌ６の一端も、筐体６０に接地されている。
【００６４】
また、各フィルタ室６４、６６にそれぞれ設けられる一対の入・出力インダクタＬ１及びＬ３、Ｌ４及びＬ６のうち、一方の入・出力インダクタＬ３、Ｌ４は、２つのフィルタ室６４、６６の境界を形成する壁面（換言すれば分離壁６２）の近傍に配置されており、その入・出力インダクタＬ３、Ｌ４の他端は、その壁面中央を貫通するように設けられた貫通コンデンサＬＴＣ２を介して互いに接続されている。
【００６５】
そして、この貫通コンデンサＬＴＣ２と入・出力インダクタＬ３、Ｌ４との接続点は、コンデンサＣ１、Ｃ２を介して筐体６０に接地されている。
一方、各フィルタ室６４、６６にそれぞれ設けられる一対の入・出力インダクタＬ１及びＬ３、Ｌ４及びＬ６のうち、他方の入・出力インダクタＬ１、Ｌ６は、一方の入・出力インダクタＬ３、Ｌ４との間で中心インダクタＬ２、Ｌ５を挟むように、各フィルタ室６４、６６において筐体６０外壁面の近傍に配置されている。
【００６６】
そして、その入・出力インダクタＬ１、Ｌ６の他端は、各フィルタ室６４、６６の長手方向一端側壁面に設けられた貫通コンデンサＬＴＣ１、ＬＴＣ３にそれぞれ接続されている。
【００６７】
また、各フィルタ室６４、６６において、上記各部は、筐体６０の長手方向に沿って（換言すれば分離壁６２に沿って）互いに逆方向となるよう配置されている。
このため、各フィルタ室６４、６６の長手方向一端側壁面に設けられる貫通コンデンサＬＴＣ１、ＬＴＣ３は、筐体６０の長手方向両側（換言すれば分離壁６２の両端側）にそれぞれ配置されることになり、筐体６０の長手方向両側の外壁面には、各フィルタ室６４、６６の外側で貫通コンデンサＬＴＣ１、ＬＴＣ３と接続された信号入出力用の端子Ｔ１、Ｔ２が設けられている。
【００６８】
このように構成されたキャビティフィルタにおいては、中心インダクタＬ２と入・出力インダクタＬ１及びＬ３、中心インダクタＬ５と入・出力インダクタＬ４及びＬ６が、それぞれ、図３にＭ１、Ｍ２、Ｍ３、Ｍ４で示すように電磁結合される。
【００６９】
そして、可変コンデンサＶＣ１、ＶＣ２の容量を調整することで、フィルタ特性を調整することができ、例えば、図４に示すように、ワンセグ放送信号が通過可能な帯域幅（約４２８〜４２９ｋＨｚ）で、急峻なカットオフ特性を有するバンドパスフィルタを実現できる。
【００７０】
また、特に、本実施形態では、２つのフィルタ室６４、６６において、可変コンデンサＶＣ１、ＶＣ２と中心インダクタＬ２、Ｌ５との直列回路、入・出力インダクタＬ１及びＬ３、Ｌ４及びＬ６、貫通コンデンサＬＴＣ１、ＬＴＣ３を、筐体６０の長手方向に沿って互いに逆方向となるよう配置することにより、端子Ｔ１、Ｔ２を、筐体６０の長手方向両側に配置している。
【００７１】
この結果、２つのフィルタ室６４、６６において、上記各部を、筐体６０の長手方向に沿って同方向に配置した場合に比べて、キャビティフィルタを小型化できる。
つまり、２つのフィルタ室６４、６６において、上記各部を、筐体６０の長手方向に沿って同方向に配置した場合、入出力用の端子Ｔ１、Ｔ２を離して配置する必要があるため、貫通コンデンサＬＴＣ１、ＬＴＣ２を、各フィルタ室６４、６６において筐体６０の長手方向に沿った壁面に設け、更にその外側に端子Ｔ１、Ｔ２を配置することになる。
【００７２】
しかし、これでは、キャビティフィルタが大きくなり、送信装置２０を小型化できない。そこで、本実施形態では、ＢＰＦ４２を構成するキャビティフィルタを上記のように構成することで、ＢＰＦ４２を小型化し、送信装置２０全体が大きくなるのを防止しているのである。
【００７３】
以上、本発明の一実施形態について説明したが、本発明は、上記実施形態に限定されるものではなく、本発明の要旨を逸脱しない範囲内にて、種々の態様をとることができる。
例えば、上記実施形態では、ミキサ２８からミキサ３４に至る中間周波信号の伝送経路には、増幅器３０とＳＡＷフィルタからなるＢＰＦ３２とが設けられるものとして説明したが、これらの接続段数は、更に増加してもよい。
【００７４】
また、ワンセグ放送信号を出力端子Ｔ２に出力する最終段のキャビティフィルタ（ＢＰＦ４２）についても、例えば、図３に示したものを複数段従属接続することで、不要信号成分の除去特性を確保するようにしてもよい。
【００７５】
この場合、図５に示すように、キャビティフィルタのフィルタ室を３段以上にすることにより、フィルタ室単位で構成される共振回路の段数を増加させるようにしてもよく、上記実施形態と同様に構成されたフィルタ室２段のキャビティフィルタを複数段縦続接続するようにしてもよい。
【００７６】
なお、図５に示すキャビティフィルタは、筐体６０内に２つの分離壁６２ａ、６２ｂを設けることで、両側のフィルタ室（つまり第１フィルタ室６４と第２フィルタ室６６）の間に、中間フィルタ室６８を設け、中間フィルタ室６８にも、第１フィルタ室６４及び第２フィルタ室６６と同様のフィルタ回路（共振回路）を形成することにより構成されている。
【００７７】
つまり、中間フィルタ室６８には、可変コンデンサＶＣｎと棒状の中心インダクタＬｎ２との直列回路、中心インダクタＬｎ２と電磁結合される一対の入・出力インダクタＬｎ１、Ｌｎ３が収納され、入・出力インダクタＬｎ１、Ｌｎ３の一端は、分離壁６２ａ、６２ｂに設けられた貫通コンデンサＬＴＣ２、ＬＴＣｎを介して、隣接するフィルタ室６４、６６内の入・出力インダクタＬ３、Ｌ４と接続されている。
【００７８】
また、中間フィルタ室６８内でも、貫通コンデンサＬＴＣ２、ＬＴＣｎと入・出力インダクタＬｎ１、Ｌｎ３との接続点は、コンデンサＣｎ１、Ｃｎ２を介して筐体６０に接地されている。
【００７９】
また、上記実施形態では、各フィルタ室６４、６６に設けられて可変コンデンサＶＣ１、ＶＣ２との直列回路を構成する中心インダクタＬ２、Ｌ５には、棒状のものを用いるものとして説明した。
【００８０】
しかし、可変コンデンサＶＣとの直列回路を構成する中心インダクタＬとしては、図６（ａ）に示す棒状のもの以外にも、図６（ｂ）に示す板状のものを用いるようにしてもよく、図６（ｃ）に示すように、板状若しくは棒状のものを屈曲させたものを用いるようにしてもよく、図６（ｅ）に示すようなコイル状のものを用いるようにしてもよい。
【００８１】
また、この中心インダクタＬに電磁結合される入・出力インダクタについても、直線状のものに限らず、コイル状のもの等、形状は適宜変更することができる。
また、上記実施形態のワンセグ放送システムは、伝送線の一部に光ケーブル６を用いたＣＡＴＶ網を利用するものとして説明したが、本発明は、伝送線が同軸ケーブル７だけで構成されたＣＡＴＶ網にも適用できる。
【符号の説明】
【００８２】
２…ヘッドエンド、４…Ｅ／Ｏ変換器、６…光ケーブル、７…同軸ケーブル、８…Ｏ／Ｅ変換器、１０…ワンセグエンコーダ、１２…変調器、１４…送信アンテナ、２０…送信装置（ワンセグ放送送信装置）、２２…ＢＰＦ、２４…増幅器、２６…ＡＧＣ回路、２８…ミキサ、３０…増幅器、３２…ＢＰＦ、３４…ミキサ、３６…ＢＰＦ、３８…増幅器、４０…分岐器、４２…ＢＰＦ、４４…検波回路、４６…制御回路、５２…増幅器、５４…分配器、５６…ＰＬＬ回路、６０…筐体、６２…分離壁、６４…第１フィルタ室、６６…第２フィルタ室、６８…中間フィルタ室、Ｃ１，Ｃ２，Ｃｎ１，Ｃｎ２…コンデンサ、Ｌ１，Ｌ３，Ｌ４，Ｌ６，Ｌｎ１，Ｌｎ３…入・出力インダクタ、Ｌ２，Ｌ５，Ｌｎ２…中心インダクタ、ＬＴＣ１，ＬＴＣ２，ＬＴＣ３，ＬＴＣｎ…貫通コンデンサ、ＶＣ１，ＶＣ２，ＶＣｎ…可変コンデンサ。
【図１】
2014168178.tif 000003
【図２】
2014168178.tif 000004
【図３】
2014168178.tif 000005
【図５】
2014168178.tif 000006
【図６】
2014168178.tif 000007
【図４】
2014168178.tif 000008